(57)【要約】【課題】利用者が希望する処理を情報処理装置に実行させる際の当該利用者にとっての利便性を向上させる。【解決手段】所定処理を実行する処理手段１１と、前記処理手段１１が対応する処理に関する情報の表示を行うとともに当該処理手段１１に実行させる処理内容の設定を受け付けるユーザインタフェース手段１２と、前記ユーザインタフェース手段１２での表示内容および設定内容に関する情報を記憶した情報記憶デバイス２０からの情報読み出しを行う読み出し手段１３と、前記読み出し手段１３が前記情報記憶デバイス２０からの情報読み出しを行うと、読み出した情報によって特定される表示内容を前記ユーザインタフェース手段１２に表示させるとともに、読み出した情報によって特定される設定内容を前記ユーザインタフェース手段１２が受け付けたものとする制御手段１４と、を備えて情報処理装置１０を構成する。【選択図】図１
2009175999.tif 000002
【特許請求の範囲】
【請求項１】
所定処理を実行する処理手段と、
前記処理手段が対応する処理に関する情報の表示を行うとともに当該処理手段に実行させる処理内容の設定を受け付けるユーザインタフェース手段と、
前記ユーザインタフェース手段での表示内容および設定内容に関する情報を記憶した情報記憶デバイスからの情報読み出しを行う読み出し手段と、
前記読み出し手段が前記情報記憶デバイスからの情報読み出しを行うと、読み出した情報によって特定される表示内容を前記ユーザインタフェース手段に表示させるとともに、読み出した情報によって特定される設定内容を前記ユーザインタフェース手段が受け付けたものとする制御手段と
を備えることを特徴とする情報処理装置。
【請求項２】
前記制御手段は、前記読み出し手段が前記情報記憶デバイスから複数処理分の情報を読み出した場合に、当該複数処理分の情報読み出し結果を前記ユーザインタフェース手段に一覧表示させ、処理実行対象とする情報読み出し結果を前記ユーザインタフェース手段から選択させるものである
ことを特徴とする請求項１記載の情報処理装置。
【請求項３】
可搬される情報記憶デバイスであって、
所定処理を実行する処理手段、前記処理手段が対応する処理に関する情報の表示を行うとともに当該処理手段に実行させる処理内容の設定を受け付けるユーザインタフェース手段、および、前記情報記憶デバイスからの情報読み出しを行う読み出し手段を備える情報処理装置にて用いられる情報で、当該情報処理装置における前記ユーザインタフェース手段での表示内容および設定内容に関する情報を記憶する情報記憶手段を備え、
前記情報処理装置における前記読み出し手段に前記情報記憶手段からの情報読み出しを行わせ、読み出した情報によって特定される表示内容を前記ユーザインタフェース手段に表示させるとともに、読み出した情報によって特定される設定内容を前記ユーザインタフェース手段が受け付けたものとさせる
ことを特徴とする情報記憶デバイス。
【請求項４】
可搬される情報記憶デバイスと、
所定処理を実行する処理手段、前記処理手段が対応する処理に関する情報の表示を行うとともに当該処理手段に実行させる処理内容の設定を受け付けるユーザインタフェース手段、および、前記情報記憶デバイスからの情報読み出しを行う読み出し手段を備える情報処理装置と、を具備し、
前記情報記憶デバイスは、前記情報処理装置における前記ユーザインタフェース手段での表示内容および設定内容に関する情報を記憶する情報記憶手段を備え、
前記情報処理装置は、前記読み出し手段が前記情報記憶デバイスにおける前記情報記憶手段からの情報読み出しを行うと、読み出した情報によって特定される表示内容を前記ユーザインタフェース手段に表示させるとともに、読み出した情報によって特定される設定内容を前記ユーザインタフェース手段が受け付けたものとする制御手段を備える
ことを特徴とする情報処理システム。
【発明の詳細な説明】
【技術分野】
【０００１】
本発明は、情報処理装置、情報記憶デバイスおよび情報処理システムに関する。
【背景技術】
【０００２】
複写機等の情報処理装置の中には、操作パネルとＩＣカードリーダ／ライタを備え、操作パネルに表示されるインタフェース画面を、ＩＣカードリーダ／ライタを通して、利用者が所有するＩＣカードからの読み出し情報に基づいて表示出力することで、当該利用者がカスタマイズしたインタフェース画面に関する情報を持ち運べるようにしたものがある（例えば、特許文献１参照。）。
【０００３】
【特許文献１】特開平１１−１７５２２５号公報
【発明の開示】
【発明が解決しようとする課題】
【０００４】
しかしながら、上述した従来技術では、インタフェース画面のカスタマイズのみに対応しているため、ＩＣカード等の情報記憶デバイスを利用して情報の持ち運びを行っても、情報処理装置の機能を利用する際には、当該機能を利用して行う処理についての設定操作を、カスタマイズ後のインタフェース画面上で行う必要がある。すなわち、インタフェース画面を用いて行われる設定操作内容については、その情報の持ち運びが行えるわけではない。したがって、情報処理装置の利用者は、当該情報処理装置を利用する度に、インタフェース画面上での設定操作を行う必要があり、その結果として煩わしさを感じてしまうおそれがある。
【０００５】
そこで、本発明は、表示内容に関する情報と設定内容に関する情報とを併せてカスタマイズ情報として情報記憶デバイスにより持ち運べるようにし、当該情報記憶デバイスからの情報読み出しを情報処理装置が行えば当該情報処理装置が指示された処理を実行し得るようにすることで、利用者が希望する処理を当該情報処理装置に簡単に実行させることを可能とし、その結果として当該利用者にとっての利便性をインタフェース画面のカスタマイズのみに対応している場合に比べて向上させることのできる、情報処理装置、情報記憶デバイスおよび情報処理システムを提供することを目的とする。
【課題を解決するための手段】
【０００６】
請求項１に係る発明は、所定処理を実行する処理手段と、前記処理手段が対応する処理に関する情報の表示を行うとともに当該処理手段に実行させる処理内容の設定を受け付けるユーザインタフェース手段と、前記ユーザインタフェース手段での表示内容および設定内容に関する情報を記憶した情報記憶デバイスからの情報読み出しを行う読み出し手段と、前記読み出し手段が前記情報記憶デバイスからの情報読み出しを行うと、読み出した情報によって特定される表示内容を前記ユーザインタフェース手段に表示させるとともに、読み出した情報によって特定される設定内容を前記ユーザインタフェース手段が受け付けたものとする制御手段とを備えることを特徴とする情報処理装置である。
請求項２に係る発明は、前記制御手段は、前記読み出し手段が前記情報記憶デバイスから複数処理分の情報を読み出した場合に、当該複数処理分の情報読み出し結果を前記ユーザインタフェース手段に一覧表示させ、処理実行対象とする情報読み出し結果を前記ユーザインタフェース手段から選択させるものであることを特徴とする請求項１記載の情報処理装置である。
請求項３に係る発明は、可搬される情報記憶デバイスであって、所定処理を実行する処理手段、前記処理手段が対応する処理に関する情報の表示を行うとともに当該処理手段に実行させる処理内容の設定を受け付けるユーザインタフェース手段、および、前記情報記憶デバイスからの情報読み出しを行う読み出し手段を備える情報処理装置にて用いられる情報で、当該情報処理装置における前記ユーザインタフェース手段での表示内容および設定内容に関する情報を記憶する情報記憶手段を備え、前記情報処理装置における前記読み出し手段に前記情報記憶手段からの情報読み出しを行わせ、読み出した情報によって特定される表示内容を前記ユーザインタフェース手段に表示させるとともに、読み出した情報によって特定される設定内容を前記ユーザインタフェース手段が受け付けたものとさせることを特徴とする情報記憶デバイスである。
請求項４に係る発明は、可搬される情報記憶デバイスと、所定処理を実行する処理手段、前記処理手段が対応する処理に関する情報の表示を行うとともに当該処理手段に実行させる処理内容の設定を受け付けるユーザインタフェース手段、および、前記情報記憶デバイスからの情報読み出しを行う読み出し手段を備える情報処理装置と、を具備し、前記情報記憶デバイスは、前記情報処理装置における前記ユーザインタフェース手段での表示内容および設定内容に関する情報を記憶する情報記憶手段を備え、前記情報処理装置は、前記読み出し手段が前記情報記憶デバイスにおける前記情報記憶手段からの情報読み出しを行うと、読み出した情報によって特定される表示内容を前記ユーザインタフェース手段に表示させるとともに、読み出した情報によって特定される設定内容を前記ユーザインタフェース手段が受け付けたものとする制御手段を備えることを特徴とする情報処理システムである。
【発明の効果】
【０００７】
請求項１，３，４に係る発明によれば、ユーザインタフェース手段での表示内容に関する情報と設定内容に関する情報とを併せてカスタマイズ情報として情報記憶デバイスにより持ち運べるので、当該情報記憶デバイスからの情報読み出しを情報処理装置が行えば、当該情報処理装置におけるユーザインタフェース手段での設定操作を要することなく、当該情報処理装置が指示された処理を実行し得るようになる。したがって、情報処理装置の利用者が希望する処理を当該情報処理装置に簡単に実行させることが可能となり、その結果として当該利用者にとっての利便性をインタフェース画面のカスタマイズのみに対応している場合に比べて向上させることができる。
請求項２に係る発明によれば、複数処理分の情報を情報記憶デバイスにより持ち運べるようになるとともに、その複数処理分の中から選択的に情報処理装置での処理を実行させ得るようになるので、複数処理に対応していない場合に比べて当該情報処理装置の利用者にとっての利便性をより一層向上させることができる。また、情報記憶デバイスによる情報持ち運びを実現する場合における汎用性についても、複数処理に対応していない場合に比べて向上させることができる。
【発明を実施するための最良の形態】
【０００８】
以下、図面に基づき本発明に係る情報処理装置、情報記憶デバイスおよび情報処理システムについて説明する。
【０００９】
先ず、情報処理システムの一例としての画像形成システムの概略構成について説明する。
図１は、画像形成システムの概略構成例を示す機能ブロック図である。
図例の画像形成システムは、少なくとも、情報処理装置の一例としての画像形成装置１０と、情報記憶デバイス２０と、を具備して構成されている。また、画像形成システムは、画像形成装置１０および情報記憶デバイス２０の他に、コンピュータ装置３０を具備したものであってもよい。
【００１０】
画像形成装置１０は、複写機、プリンタ装置、ファクシミリ装置、またはこれらの機能を統合したもの等からなり、利用者からの要求に応じて画像の形成や出力等の情報処理を行うものである。さらに詳しくは、画像形成装置１０は、処理実行部１１と、ユーザインタフェース（以下、インタフェースを「Ｉ／Ｆ」と略す。）部１２と、情報リードライト（以下、リードライトを「Ｒ／Ｗ」と略す。）部１３と、制御部１４と、を備えて構成されている。
【００１１】
処理実行部１１は、画像の形成や出力等といった所定処理を実行するものである。すなわち、処理実行部１１では、原稿から読み取った画像の印刷出力、ファクシミリ送信、ネットワーク上への送信等を行ったり、外部からのファクシミリ送信やネットワーク送信等によって受け取った画像データの印刷出力を行ったりするようになっている。さらには、このような所定処理の実行に必要となる設定処理（例えば、画像データのネットワーク受信に必要なるＩＰアドレスの設定処理）を行うようにもなっている。
【００１２】
ユーザＩ／Ｆ部１２は、画像形成装置１０の利用者が操作するためのもので、処理実行部１１が対応する処理（すなわち、当該処理実行部１１で実行し得る処理）に関する情報の表示を行うとともに、利用者が処理実行部１１に実行させる処理内容の設定を受け付けるようになっている。そのために、ユーザＩ／Ｆ部１２は、利用者に対する情報表示をＩ／Ｆ画面の表示によって行う液晶パネル１２ａと、利用者からの情報入力を受け付けるタッチパネル１２ｂと、を備えて構成されている。
【００１３】
情報Ｒ／Ｗ部１３は、情報記憶デバイス２０への情報の書き込みと、当該情報記憶デバイス２０からの情報の読み出しとを行うものである。なお、情報の書き込みまたは読み出しは、公知技術を利用して行えばよい。例えば、情報記憶デバイス２０がカード状のものである場合であれば、専用スロットに挿入されたカード状デバイスに対して情報の書き込みまたは読み出しを行ったり、あるいは専用アンテナ部に近接されたカード状デバイスに対して非接触で情報の書き込みまたは読み出しを行ったりすることが考えられる。
【００１４】
制御部１４は、上述した各部１１〜１３についての動作制御、すなわち画像形成装置１０が実行する一連の処理動作の制御を行うものである。そのために、制御部１４は、所定プログラムを実行するＣＰＵ（Central Processing Unit）や、当該所定プログラムを記憶する記憶装置等の組み合わせによって構成されている。つまり、制御部１４は、コンピュータ装置としての機能を有したものである。なお、制御部１４としての機能を実現するために所定プログラムは、記憶装置内へのインストールに先立ち、コンピュータ読み取り可能な記憶媒体に格納されて提供されるものであっても、または通信回線を介して開部から配信されるものであってもよい。
【００１５】
一方、情報記憶デバイス２０は、情報を記憶する情報記憶部２１を備えており、その情報記憶部２１に対して情報Ｒ／Ｗ部１３が情報書き込みと情報読み出しとを行い得るように構成されている。なお、情報記憶部２１には、詳細を後述するように、画像形成装置１０におけるユーザＩ／Ｆ部１２での表示内容および設定内容に関する情報が記憶されるようになっている。
また、情報記憶デバイス２０は、画像形成装置１０の利用者によって可搬されるように、すなわち当該利用者が携帯して持ち運べるように構成されている。
このような情報記憶デバイス２０としては、例えばＩＣカードとして広く知られているカード状デバイスが挙げられる。ただし、情報書き込みおよび情報読み出しが可能であり、かつ、携帯して持ち運ぶことが可能なものであれば、他のデバイスであっても構わない。具体的には、例えば近年普及が著しい携帯電話機を用いたり、補助記憶装置として知られているＵＳＢ（Universal Serial Bus）メモリを用いたりすることが考えられる。
【００１６】
コンピュータ装置３０は、有線または無線による通信回線４０を介して、画像形成装置１０と通信可能に接続しているものである。なお、このコンピュータ装置３０では、少なくとも、利用者が操作するためのユーザＩ／Ｆ部３１と、情報記憶デバイス２０への情報の書き込みを行う情報Ｒ／Ｗ部３２と、を備えているものとする。
【００１７】
次に、以上のように構成された画像形成システムにおける処理動作について説明する。
図２は、画像形成システムにおける処理動作例を示すフローチャートである。
図例のように、画像形成システムにおける処理動作には、設定装置側での処理動作と、処理装置側での処理動作とがある。
【００１８】
設定装置とは、画像形成装置１０におけるユーザＩ／Ｆ部１２での表示内容（すなわち、Ｉ／Ｆ画面の内容）および設定内容（すなわち、Ｉ／Ｆ画面を用いて設定する処理実行部１１での処理の内容）について、利用者がその設定操作を行い、その結果に関する情報の情報記憶デバイス２０への書き込みを行うものである。具体的には、ユーザＩ／Ｆ部３１と情報Ｒ／Ｗ部３２とを備えたコンピュータ装置３０がこれに相当する。また、ユーザＩ／Ｆ部１２と情報Ｒ／Ｗ部１３とを備えた画像形成装置１０も、設定装置となり得る。さらには、情報記憶デバイス２０が情報表示機能および情報入力機能を備えた携帯電話機からなる場合であれば、当該情報記憶デバイス２０を設定装置として用いることも考えられる。
一方、処理装置とは、設定指示された内容の処理を実行するものである。具体的には、処理実行部１１を備えた画像形成装置１０がこれに相当する。
なお、以下の説明では、コンピュータ装置３０が設定装置であり、画像形成装置１０が処理装置である場合を例に挙げる。
【００１９】
画像形成システムでは、先ず、設定装置であるコンピュータ装置３０が、通信回線４０を通じて画像形成装置１０または所定のサーバ装置（ただし不図示）にアクセスして、当該画像形成装置１０における機能（特に、ユーザＩ／Ｆ部１２が対応する機能）に関する情報を取得スル。そして、取得した情報を基に、ユーザＩ／Ｆ部３１を用いて、当該画像形成装置１０のユーザＩ／Ｆ部１２に表示させるＩ／Ｆ画面のカスタマイズを利用者に行わせるとともに（ステップ１０１、以下ステップを「Ｓ」と略す。）、そのカスタマイズ後のＩ／Ｆ画面上で当該画像形成装置１０の処理実行部１１に実行させる処理内容についての設定を当該利用者に行わせる（Ｓ１０２）。具体的には、カスタマイズ後のＩ／Ｆ画面上にて、例えば処理実行部１１が行うべき印刷出力部数、カラー／白黒の別、出力用紙サイズ、処理実行の自動スタートの要否等につき、利用者に設定させるようにする。これにより、コンピュータ装置３０上では、画像形成装置１０におけるユーザＩ／Ｆ部１２での表示内容および設定内容が特定されることになる。
【００２０】
コンピュータ装置３０上で画像形成装置１０におけるユーザＩ／Ｆ部１２での表示内容および設定内容が特定されると、続いて、当該コンピュータ装置３０では、情報Ｒ／Ｗ部３２が、特定された表示内容および設定内容に関する情報について、情報記憶デバイス２０への情報書き込みを行う（Ｓ１０３）。これにより、情報記憶デバイス２０の情報記憶部２１には、ユーザＩ／Ｆ部１２での表示内容に関する情報（Ｉ／Ｆ画面のカスタマイズ情報）の他に、ユーザＩ／Ｆ部１２にカスタマイズ後のＩ／Ｆ画面を表示させて行われる設定内容に関する情報についても、これらが併せて記憶保持されることになる。なお、情報記憶部２１内での情報記憶形式は、画像形成装置１０での再現が可能なものであればよく、特に限定されるものではない。
【００２１】
情報記憶デバイス２０の情報記憶部２１内での情報記憶は、複数処理分について行うことも考えられる。複数処理分について情報記憶を行えば、例えば、ある処理分と他の処理分とで異なる内容の情報記憶を行う、といったことが実現可能となる。このような複数処理分についての情報記憶部２１内への情報記憶は、上述したような設定装置であるコンピュータ装置３０での処理操作を、複数回繰り返すことによって行えばよい。
【００２２】
その後、画像形成装置１０におけるユーザＩ／Ｆ部１２での表示内容および設定内容に関する情報を記憶した情報記憶デバイス２０を、利用者が携帯して画像形成装置１０の設置箇所まで持ち運び、画像形成装置１０における情報Ｒ／Ｗ部１３の専用スロットに挿入したり、または当該情報Ｒ／Ｗ部１３の専用アンテナ部に近接させたりすると、処理装置である当該画像形成装置１０では、情報Ｒ／Ｗ部１３が、情報記憶デバイス２０からの情報読み出しを行う（Ｓ１０４）。
【００２３】
このとき、画像形成装置１０における制御部１４は、情報記憶デバイス２０からの読み出し情報を解析して、当該読み出し情報が複数処理分についてのものであるか否かを判断する（Ｓ１０５）。そして、情報Ｒ／Ｗ部１３が情報記憶デバイス２０から複数処理分の情報を読み出した場合には、制御部１４は、当該複数処理分の情報読み出し結果をユーザＩ／Ｆ部１２に一覧表示させる（Ｓ１０６）。さらに、制御部１４は、ユーザＩ／Ｆ部１２を利用者に操作させて、一覧表示の中から処理実行対象とする情報読み出し結果を当該利用者に選択させる（Ｓ１０７）。このときの表示形式および選択手法については、複数処理分のいずれかを利用者が選択可能なものであればよく、特に限定されるものではない。
【００２４】
複数処理分のいずれかが選択されると、または情報記憶デバイス２０からの読み出し情報が複数処理分ではなく一つの処理分についてのものであると、情報Ｒ／Ｗ部１３からは、その選択された処理分または一つの処理分についてのユーザＩ／Ｆ部１２での表示内容および設定内容に関する情報が得られることになる。
【００２５】
このようにして、ユーザＩ／Ｆ部１２での表示内容および設定内容に関する情報を得ると、画像形成装置１０における制御部１４は、情報Ｒ／Ｗ部１３での情報取得を契機とするタイミングで、その取得した情報によって特定される表示内容、すなわち設定装置でのカスタマイズ後のＩ／Ｆ画面を、ユーザＩ／Ｆ部１２に表示させるようにする（Ｓ１０８）。さらに、制御部１４は、取得した情報によって特定される設定内容を、そのＩ／Ｆ画面を表示しているユーザＩ／Ｆ部１２で受け付けたものとする。そして、その設定内容によって指示される処理を実行するように、処理実行部１１に対する動作制御を行う（Ｓ１０９）。
【００２６】
これにより、画像形成装置１０では、例えば設定内容が自動スタート要の場合であれば、情報Ｒ／Ｗ部１３での情報取得を契機とするタイミングで、その設定内容によって指示される処理を、ユーザＩ／Ｆ部１２での利用者による設定操作を必要とすることなく、処理実行部１１が自動的に実行開始することになる。また、例えば設定内容が自動スタート否の場合であっても、情報Ｒ／Ｗ部１３での情報取得以降のタイミングで、利用者がスタートボタン押下等の所定操作をユーザＩ／Ｆ部１２で行えば、当該ユーザＩ／Ｆ部１２での他の設定操作を要することなく、情報Ｒ／Ｗ部１３が読み出した設定内容によって指示される処理を、処理実行部１１が実行開始することになる。
【００２７】
その後、画像形成装置１０における制御部１４は、情報記憶デバイス２０から複数処理分の情報を読み出した場合であれば、再び情報読み出し結果の一覧表示をユーザＩ／Ｆ部１２に行わせ、当該複数処理分の全てについて処理実行部１１での処理実行が終了するまで、上述した処理動作を繰り返す（Ｓ１０６〜Ｓ１１０）。ただし、制御部１４は、情報記憶デバイス２０から複数処理分の情報を読み出した場合であっても、一つの処理分について処理実行部１１での処理実行が終了した後は、通常の稼動状態（デフォルトのＩ／Ｆ画面を表示状態）に戻し、未実行の処理分についての処理を行うためには、再び情報記憶デバイス２０からの情報読み出しを行うことを要求するようにしても構わない。
【００２８】
以上に説明したように、本実施形態における画像形成装置１０、情報記憶デバイス２０、および、これらを備えて構成される画像形成システムによれば、画像形成装置１０におけるユーザＩ／Ｆ部１２での表示内容に関する情報と設定内容に関する情報とを併せてカスタマイズ情報として情報記憶デバイス２０により持ち運べるようになるので、当該情報記憶デバイス２０からの情報読み出しを画像形成装置１０が行えば、当該画像形成装置１０におけるユーザＩ／Ｆ部１２での設定操作を要することなく、当該画像形成装置１０が指示された処理を実行し得るようになる。つまり、本実施形態における画像形成装置１０、情報記憶デバイス２０、および、これらを備えて構成される画像形成システムによれば、画像形成装置１０の利用者が希望する処理を当該画像形成装置１０に簡単に実行させることが実現可能となる。
具体的には、例えばコンピュータ装置３０または画像形成装置１０にて、ユーザＩ／Ｆ部１２での表示内容および設定内容についての設定操作を行い、その結果に関する情報の情報記憶デバイス２０への書き込みを行った後、その情報記憶デバイス２０からの情報読み出しを画像形成装置１０にて行えば、当該情報記憶デバイス２０を画像形成装置１０が認識して当該情報記憶デバイス２０からの情報読み出しを行ったタイミングで、その読み出し内容によって指示される処理が、自動的に、または利用者によるスタートボタン押下等の所定操作を経るだけで、当該画像形成装置１０における処理実行部１１で実行開始されるので、これによりコンピュータ装置３０または画像形成装置１０で設定操作された作業フローが情報記憶デバイス２０からの情報読み取りを行った画像形成装置１０で再現されることになる。その場合に、複数処理分の記憶があれば、当該複数処理分を一覧表示して、その中から処理実行対象となる処理を利用者に選択させるようにすることも可能である。
また、例えば、情報記憶デバイス２０が情報表示機能および情報入力機能を備えた携帯電話機からなる場合であれば、その携帯電話機を用いてＩ／Ｆ画面のカスタマイズおよび画像形成装置１０に実行させる処理の設定内容についての操作を行い、その操作内容を当該携帯電話機内に記録しておき、その後に、当該携帯電話機を画像形成装置１０における情報Ｒ／Ｗ部１３の専用アンテナ部に近接させて当該情報Ｒ／Ｗ部１３に携帯電話機からの情報読み取りを行わせて、その読み出し内容によって指示される処理を画像形成装置１０における処理実行部１１に実行開始させるといったことも実現可能である。
【００２９】
なお、本実施形態では、本発明の好適な実施具体例について説明したが、本発明はその内容に限定されるものではない。すなわち、本発明は、本実施形態で説明した内容に限定されるものではなく、その要旨を逸脱しない範囲で変更することが可能である。
【図面の簡単な説明】
【００３０】
【図１】本発明に係る情報処理システムの概略構成例を示す機能ブロック図である。
【図２】本発明に係る情報処理システムにおける処理動作例を示すフローチャートである。
【符号の説明】
【００３１】
１０…画像形成装置、１１…処理実行部、１２…ユーザＩ／部、１２ａ…液晶パネル、１２ｂ…タッチパネル、１３…情報Ｒ／Ｗ部、１４…制御部、２０…情報記憶デバイス、２１…情報記憶部、３０…コンピュータ装置、３１…ユーザＩ／部、３２…情報Ｒ／Ｗ部、４０…通信回線
【図１】
2009175999.tif 000003
【図２】
2009175999.tif 000004